(57)【特許請求の範囲】
【請求項１】
無線通信システムにおいて端末（ＵＥ）によって二重接続におけるセカンダリセルグループ（ＳＣＧ）の電力を割り当てる方法であって、
前記ＵＥが、セルグループ（ＣＧ）別の最小電力に関する構成をネットワークから受信し、
前記ＵＥが、前記受信された構成に基づいて前記ＣＧ別電力を割り当てることを有し、
マスタセルグループ（ＭＣＧ）は、第１のタイミングアドバンスグループ（ＴＡＧ１）および第２のタイミングアドバンスグループ（ＴＡＧ２）で構成され、
前記ＳＣＧは、第３のタイミングアドバンスグループ（ＴＡＧ３）および第４のタイミングアドバンスグループ（ＴＡＧ４）で構成され、
第１の部分（部分１）は、前記ＴＡＧ１および前記ＴＡＧ２の両方に対してサブフレームＮに対応し、
第３の部分（部分３）は、前記ＴＡＧ１および前記ＴＡＧ２の両方に対してサブフレームＮ＋１に対応し、
第２の部分（部分２）は、前記ＴＡＧ１に対するサブフレームＮ＋１と前記ＴＡＧ２に対するサブフレームＮとのオーバーラップした部分に対応し、
前記ＳＣＧのサブフレームでの電力は、前記第２の部分を除いた前記第１の部分および前記第３の部分に基づいて割り当てられる、方法。
【請求項２】
前記ＭＣＧは、二重接続においてマスタ発展型ノードＢ（ＭｅＮＢ）と関連したサービングセルのグループであり、プライマリセル（ＰＣｅｌｌ）を有する、請求項１に記載の方法。
【請求項３】
前記ＳＣＧは、二重接続においてセカンダリ発展型ノードＢ（ＳｅＮＢ）と関連したサービングセルのグループであり、プライマリセカンダリセル（ＰＳＣｅｌｌ）を有する、請求項１に記載の方法。
【請求項４】
ＣＧ別に割り当てられなかった残りの電力に対して上りリンク制御情報（ＵＣＩ）のタイプに基づいて優先順位を適用することをさらに有する、請求項１に記載の方法。
【請求項５】
物理ランダムアクセスチャネル（ＰＲＡＣＨ）の優先順位は、物理上りリンク制御チャネル（ＰＵＣＣＨ）または物理上りリンク共有チャネル（ＰＵＳＣＨ）の優先順位より高い、請求項４に記載の方法。
【請求項６】
前記ＣＧ別に割り当てられた電力に電力スケーリングを行うことをさらに有する、請求項１に記載の方法。
【請求項７】
ＣＧ別に２つ以上のタイミングアドバンスグループ（ＴＡＧｓ）が構成される、請求項１に記載の方法。
【請求項８】
端末（ＵＥ）であって、
メモリと、
送受信部と、
前記メモリおよび前記送受信部と接続されるプロセッサと、
を備え、
前記プロセッサは、
前記送受信部がセルグループ（ＣＧ）別の最小電力に関する構成をネットワークから受信するように制御し、
前記受信された構成に基づいて前記ＣＧ別電力を割り当てるように構成され、
マスタセルグループ（ＭＣＧ）は、第１のタイミングアドバンスグループ（ＴＡＧ１）および第２のタイミングアドバンスグループ（ＴＡＧ２）で構成され、
セカンダリセルグループ（ＳＣＧ）は、第３のタイミングアドバンスグループ（ＴＡＧ３）および第４のタイミングアドバンスグループ（ＴＡＧ４）で構成され、
第１の部分（部分１）は、前記ＴＡＧ１および前記ＴＡＧ２の両方に対してサブフレームＮに対応し、
第３の部分（部分３）は、前記ＴＡＧ１および前記ＴＡＧ２の両方に対してサブフレームＮ＋１に対応し、
第２の部分（部分２）は、前記ＴＡＧ１に対するサブフレームＮ＋１と前記ＴＡＧ２に対するサブフレームＮとのオーバーラップした部分に対応し、
前記ＳＣＧのサブフレームでの電力は、前記第２の部分を除いた前記第１の部分および前記第３の部分に基づいて割り当てられる、端末。
【請求項９】
前記ＭＣＧは、二重接続においてマスタ発展型ノードＢ（ＭｅＮＢ）と関連したサービングセルのグループであり、プライマリセル（ＰＣｅｌｌ）を有する、請求項８に記載の端末。
【請求項１０】
前記ＳＣＧは、二重接続においてセカンダリ発展型ノードＢ（ＳｅＮＢ）と関連したサービングセルのグループであり、プライマリセカンダリセル（ＰＳＣｅｌｌ）を有する、請求項８に記載の端末。
【発明の詳細な説明】
【技術分野】
【０００１】
本発明は、無線通信に関し、より詳細には、無線通信システムにおける最大上りリンク送信電力を決定する方法および装置に関する。
【背景技術】
【０００２】
３ＧＰＰ ＬＴＥは、高速パケット通信を可能にするための技術である。ＬＴＥの目標であるユーザおよび事業者のコスト（費用）（costs）節減、サービス品質の向上、カバレッジの拡張およびシステム容量の増大のために多くの方式が提案された。３ＧＰＰ ＬＴＥは、上位レベルの必要条件（upper-level requirement）として、ビット当たりのコスト節減、サービス可用性（availability）の向上、周波数バンドの柔軟な使用、簡単な構造、オープン（open）インターフェースおよび端末の適切な電力消費を要求する。
【０００３】
低電力ノードを用いるスモールセルは、（特に、室内および室外のホットスポットの構築のための）モバイルトラフィックの急増に対処するのに有望なものと考慮される（Small cells using low power nodes are considered promising to cope with mobile traffic explosion, especially for hotspot deployments in indoor and outdoor scenarios）。低電力ノードは、一般に送信電力がマクロノードおよび基地局クラス（macro node and base station (BS) classes）の電力より少ないことを意味する。例えば、ピコ発展型ノードＢ（evolved NodeB；ｅＮＢ）およびフェムトｅＮＢがこれに該当する。Ｅ−ＵＴＲＡ（Evolved UMTS Terrestrial Radio Access）およびＥ−ＵＴＲＡＮ（Evolved UMTS Terrestrial Radio Access Network）のスモールセルの拡張（enhancements）は、室内および室外のホットスポット区域で低電力ノードを用いて性能を拡張させる追加的な機能性に焦点を置くであろう。
【０００４】
スモールセルの拡張のための潜在的な解決策の１つとして、二重接続（dual connectivity）が議論されている。二重接続は、与えられた端末が非理想的なバックホール（backhaul）で接続された少なくとも２つの互いに異なるネットワークポイント（points）から提供される無線資源を消費する動作を呼ぶのに使用される。さらに、端末のための二重接続に関与する各ｅＮＢは、互いに異なる役割を仮定できる。その役割は、ｅＮＢの電力等級に依存する必要がなく、端末間で異なる場合がある。
【０００５】
複数のタイミングアドバンス（ＴＡ：Timing Advance）が二重接続環境で構成される場合、最大上りリンク送信電力を構成する方法が求められ得る。
【発明の概要】
【発明が解決しようとする課題】
【０００６】
本発明は、無線通信システムにおける最大上りリンク送信電力を決定する方法および装置を提供する。本発明は、二重接続（dual connectivity）環境で複数のタイミングアドバンス（ＴＡ：Timing Advance）が導入される場合、最大上りリンク送信電力を構成する方法を提供する。
【課題を解決するための手段】
【０００７】
一態様において、無線通信システムにおける端末（ＵＥ；User Equipment）によって二重接続におけるマスタセルグループ（Master Cell Group；ＭＣＧ）およびセカンダリセルグループ（Secondary Cell Group；ＳＣＧ）の電力を割り当てる方法が提供される。この方法は、セルグループ（Cell Group；ＣＧ）別最小電力に関する（for）構成をネットワークから受信し、受信された構成に基づいてＣＧ別に電力を割り当てることを有し、マスタセルグループ（Master Cell Group；ＭＣＧ）およびセカンダリセルグループ（Secondary Cell Group；ＳＣＧ）のうち、少なくとも１つは、少なくとも１つのタイミングアドバンス（ＴＡ：Timing Advance）で構成される。
【０００８】
他の態様において、端末（ＵＥ；User Equipment）が提供される。端末は、メモリと、送受信部と、メモリおよび送受信部と接続されるプロセッサと、を備え、プロセッサは、送受信部がセルグループ（Cell Group；ＣＧ）別最小電力に関する構成をネットワークから受信するように制御し、受信された構成に基づいてＣＧ別に電力を割り当てるように構成され、二重接続におけるマスタセルグループ（Master Cell Group；ＭＣＧ）およびセカンダリセルグループ（Secondary Cell Group；ＳＣＧ）のうち、少なくとも１つは、少なくとも１つのタイミングアドバンス（ＴＡ：Timing Advance）で構成される。
【発明の効果】
【０００９】
二重接続環境で複数のタイミングアドバンス（ＴＡ：Timing Advance）が導入される場合、最大上りリンク送信電力が効率的に構成され得る。
【図面の簡単な説明】
【００１０】
【図１】無線通信システムを示す図である。
【図２】３ＧＰＰ  ＬＴＥにおける無線フレームの構造を示す図である。
【図３】１つのＤＬスロットに関する資源グリッド（resource grid）を示す図である。
【図４】ＤＬサブフレームの構造を示す図である。
【図５】ＵＬサブフレームの構造を示す図である。
【図６】二重接続の例を示す図である。
【図７】１つのｅＮＢ内での複数のＴＡの例を示す図である。
【図８】二重接続においてマスタｅＮＢ（master eNB；ＭｅＮＢ）およびセカンダリｅＮＢ（secondary eNB；ＳｅＮＢ）に対する複数のＴＡの例を示す図である。
【図９】２つのＴＡＧに属するセル内のサブフレーム境界の部分的なオーバーラップ（overlap）の例を示す図である。
【図１０】２つのＴＡＧに属するセル内のサブフレーム境界の部分的なオーバーラップの他の例を示す図である。
【図１１】本発明の実施形態に係る（according to）電力スケーリング（power scaling）の様々な例を示す図である。
【図１２】本発明の実施形態に係るＣＧ別に電力を割り当てる方法の例を示す図である。
【図１３】本発明の実施形態が実現される無線通信システムを示す図である。
【発明を実施するための形態】
【００１１】
以下において説明される技術、装置、およびシステムは、ＣＤＭＡ（Code Division Multiple Access）、ＦＤＭＡ（Frequency Division Multiple Access）、ＴＤＭＡ（Time Division Multiple Access）、ＯＦＤＭＡ（Orthogonal Frequency Division Multiple Access）、ＳＣ−ＦＤＭＡ（Single Carrier Frequency Division Multiple Access）などの種々の無線通信システムに使用されることができる。ＣＤＭＡは、ＵＴＲＡ（Universal Terrestrial Radio Access）やＣＤＭＡ２０００などの無線技術（radio technology）として実現されることができる。ＴＤＭＡは、ＧＳＭ（登録商標）（Global System for Mobile communications）／ＧＰＲＳ（General Packet Radio Service）／ＥＤＧＥ（Enhanced Data rates for GSM Evolution）などの無線技術として実現されることができる。ＯＦＤＭＡは、ＩＥＥＥ（Institute of Electrical and Electronics Engineers）８０２．１１（Ｗｉ−Ｆｉ（登録商標））、ＩＥＥＥ８０２．１６（ＷｉＭＡＸ）、ＩＥＥＥ８０２−２０、Ｅ−ＵＴＲＡ（Evolved UTRA）などの無線技術として実現されることができる。ＵＴＲＡは、ＵＭＴＳ（Universal Mobile Telecommunications System）の一部である。３ＧＰＰ（3rd Generation Partnership Project）  ＬＴＥ（Long Term Evolution）は、Ｅ−ＵＴＲＡ（Evolved-UMTS Terrestrial Radio Access）を使用するＥ−ＵＭＴＳ（Evolved UMTS）の一部であって、下りリンク（ＤＬ；DownLink）でＯＦＤＭＡを採用し、上りリンク（ＵＬ；UpLink）でＳＣ−ＦＤＭＡを採用する。ＬＴＥ−Ａ（Advanced）は、３ＧＰＰ  ＬＴＥの発展型（evolution）である。説明を明確にするために、本明細書は、３ＧＰＰ  ＬＴＥ／ＬＴＥ−Ａに焦点を合わせる。しかし、本発明の技術的特徴がこれに制限されるものではない。
【００１２】
図１は、無線通信システムを示す。無線通信システム１０は、少なくとも１つの発展型ノードＢ（１１；ｅＮＢ；evolved NodeB）を含む。各ｅＮＢ（１１）は、特定の地理的領域（一般に、セルという）１５ａ、１５ｂ、１５ｃに対して通信サービスを提供する。各セルは、さらに複数の領域（セクタという）に分けられることができる。端末（１２；ＵＥ；User Equipment）は、固定されるか、移動性を有することができ、ＭＳ（Mobile Station）、ＭＴ（Mobile Terminal）、ＵＴ（User Terminal）、ＳＳ（Subscriber Station）、無線機器（wireless device）、ＰＤＡ（Personal Digital Assistant）、無線モデム（wireless modem）、携帯機器（handheld device）等、他の用語で呼ばれることができる。ｅＮＢ（１１）は、一般に、ＵＥ（１２）と通信する固定された局（station）を示し、ＢＳ（Base Station）、ＢＴＳ（Base Transceiver System）、アクセスポイント（Access Point）等、他の用語で呼ばれることができる。
【００１３】
ＵＥは、通常１つのセルに属するが、ＵＥが属するセルをサービングセル（serving cell）という。サービングセルに対して通信サービスを提供するｅＮＢをサービングｅＮＢという。無線通信システムは、セルラシステムであるから、サービングセルに隣接する他のセルが存在する。サービングセルに隣接する他のセルを隣接セル（neighbor cell）という。隣接セルに対して通信サービスを提供するｅＮＢを隣接ｅＮＢという。サービングセルおよび隣接セルは、ＵＥを基準として相対的に決定される。
【００１４】
この技術は、ＤＬまたはＵＬに使用されることができる。一般に、ＤＬは、ｅＮＢ（１１）からＵＥ（１２）への通信を意味し、ＵＬは、ＵＥ（１２）からｅＮＢ（１１）への通信を意味する。ＤＬにおいて送信器は、ｅＮＢ（１１）の一部であり、受信器は、ＵＥ（１２）の一部でありうる。ＵＬにおいて送信器は、ＵＥ（１２）の一部であり、受信器は、ｅＮＢ（１１）の一部でありうる。
【００１５】
無線通信システムは、ＭＩＭＯ（Multiple-Input Multiple-Output）システム、ＭＩＳＯ（Multiple-Input Single-Output）システム、ＳＩＳＯ（Single-Input Single-Output）システム、およびＳＩＭＯ（Single-Input Multiple-Output）システムのうち、いずれか１つでありうる。ＭＩＭＯシステムは、複数の送信アンテナおよび複数の受信アンテナを使用する。ＭＩＳＯシステムは、複数の送信アンテナおよび１つの受信アンテナを使用する。ＳＩＳＯシステムは、１つの送信アンテナおよび１つの受信アンテナを使用する。ＳＩＭＯシステムは、１つの送信アンテナおよび複数の受信アンテナを使用する。以下において、送信アンテナは、１つの信号またはストリームを送信するのに使用される物理または論理アンテナを意味し、受信アンテナは、１つの信号またはストリームを受信するのに使用される物理または論理アンテナを意味する。
【００１６】
図２は、３ＧＰＰ  ＬＴＥにおける無線フレームの構造を示す。図２に示すように、無線フレームは、１０個のサブフレームを含む。サブフレームは、時間領域で２個のスロットを含む。１つのサブフレームを送信するのにかかる時間は、ＴＴＩ（Transmission Time Interval）として定義される。例えば、１つのサブフレームの長さは１ｍｓでありうるし、１つのスロットの長さは０．５ｍｓでありうる。１つのスロットは、時間領域で複数のＯＦＤＭ（Orthogonal Frequency Division Multiplexing）シンボルを含む。３ＧＰＰ  ＬＴＥではＤＬにおいてＯＦＤＭＡが使用されるので、ＯＦＤＭシンボルは、１つのシンボル区間を表現するためのものである。ＯＦＤＭシンボルは、多重接続方式によって他の名称で呼ばれることができる。例えば、ＵＬ多重接続方式としてＳＣ−ＦＤＭＡが使用される場合、ＳＣ−ＦＤＭＡシンボルと呼ぶことができる。資源ブロック（ＲＢ；Resource Block）は、資源割当単位であって、１つのスロットで複数の連続する副搬送波を含む。上記無線フレームの構造は、一例に過ぎない。したがって、無線フレームに含まれるサブフレームの個数やサブフレームに含まれるスロットの個数、またはスロットに含まれるＯＦＤＭシンボルの個数は様々に変更されることができる。
【００１７】
無線通信システムは、ＦＤＤ（Frequency Division Duplex）方式とＴＤＤ（Time Division Duplex）方式とに大別することができる。ＦＤＤ方式によれば、ＵＬ送信とＤＬ送信とが互いに異なる周波数帯域を占めながらなされる。ＴＤＤ方式によれば、ＵＬ送信とＤＬ送信とが同じ周波数帯域を占めながら互いに異なる時間になされる。ＴＤＤ方式のチャネル応答は、実質的に相互的（reciprocal）である（相互関係を表す）。これは、与えられた周波数領域でＤＬチャネル応答とＵＬチャネル応答とがほとんど同一であるということである。したがって、ＴＤＤベースの（TDD-based）無線通信システムにおいて、ＤＬチャネル応答は、ＵＬチャネル応答から得られることができるという長所がある。ＴＤＤ方式は、周波数帯域全体をＵＬ送信とＤＬ送信とのために時分割するので、ＢＳによるＤＬ送信とＵＥによるＵＬ送信とが同時に行われることができない。ＵＬ送信とＤＬ送信とがサブフレーム単位で区分されるＴＤＤシステムにおいて、ＵＬ送信とＤＬ送信とは互いに異なるサブフレームで行われる。
【００１８】
図３は、１つのＤＬスロットに関する資源グリッド（resource grid）を示す。図３に示すように、ＤＬスロットは、時間領域で複数のＯＦＤＭシンボルを含む。ここで、１つのＤＬスロットは、７個のＯＦＤＭシンボルを含み、１つのＲＢは、周波数領域で１２個の副搬送波を含むことを例示的に記述するが、これに制限されるものではない。資源グリッド上の各要素を資源要素（Resource Element；ＲＥ）という。１つのＲＢは、７×１２個の資源要素を含む。ＤＬスロットに含まれる資源ブロックの数ＮDLは、ＤＬ送信帯域幅に依存する（depends on）。ＵＬスロットの構造もＤＬスロットの構造と同様でありうる。ＯＦＤＭシンボルの数と副搬送波の数とは、ＣＰの長さ、周波数間隔などによって様々に変更されることができる。例えば、ノーマルＣＰの場合、ＯＦＤＭシンボルの数は７であり、拡張ＣＰの場合、ＯＦＤＭシンボルの数は６である。１つのＯＦＤＭシンボルにおける副搬送波の数は、１２８、２５６、５１２、１０２４、１５３６、および２０４８のうちの１つを選定して使用することができる。
【００１９】
図４は、ＤＬサブフレームの構造を示す。図４に示すように、サブフレーム内の１番目のスロットの先行した最大３個のＯＦＤＭシンボルは、制御チャネルが割り当てられる制御領域である。残りのＯＦＤＭシンボルは、ＰＤＳＣＨ（Physical Downlink Shared CHannel）が割り当てられるデータ領域に対応する。３ＧＰＰ  ＬＴＥで使用されるＤＬ制御チャネルの例示として、ＰＣＦＩＣＨ（Physical Control Format Indicator CHannel）、ＰＤＣＣＨ（Physical Downlink Control CHannel）、ＰＨＩＣＨ（Physical HARQ Indicator CHannel）などを含む。ＰＣＦＩＣＨは、サブフレームの１番目のＯＦＤＭシンボルで送信され、サブフレーム内で制御チャネルの送信に使用されるＯＦＤＭシンボルの個数と関連した情報を運ぶ。ＰＨＩＣＨは、ＵＬ送信に対する応答であり、ＨＡＲＱ（Hybrid Automatic Repeat reQuest）  ＡＣＫ／ＮＡＣＫ（ACKnowledgement／Non-ACKnowledgement）信号を運ぶ。ＰＤＣＣＨを介して送信される制御情報は、ＤＣＩ（Downlink Control Information）である。ＤＣＩは、ＵＬもしくはＤＬスケジューリング情報、または任意のＵＥグループのためのＵＬ送信電力制御（ＴＰＣ；Transmit Power Control）命令を含む。
【００２０】
ＰＤＣＣＨは、ＤＬ−ＳＣＨ（DownLink-Shared CHannel）の資源割当および送信フォーマット、ＵＬ−ＳＣＨ（UpLink Shared CHannel）の資源割当情報、ページングチャネル上のページング情報、ＤＬ−ＳＣＨ上のシステム情報、ＰＤＳＣＨ上で送信されるランダムアクセス応答などの上位層制御メッセージの資源割当、任意のＵＥグループ内の個別ＵＥに対するＴＰＣ命令の集合およびＶｏＩＰ（Voice over Internet Protocol）の活性化（activation）などを運ぶことができる。複数のＰＤＣＣＨが制御領域内で送信され得る。ＵＥは、複数のＰＤＣＣＨをモニタリングできる。ＰＤＣＣＨは、１つまたはいくつかの連続するＣＣＥ（Control Channel Elements）の集合（aggregation）上で送信される。ＣＣＥは、無線チャネルの状態による符号化率を有するＰＤＣＣＨを提供するために使用される論理割当単位である。ＣＣＥは、複数のＲＥＧ（Resource Element Group）に対応する。
【００２１】
ＣＣＥの数とＣＣＥにより提供される符号化率との相関関係（correlation）によってＰＤＣＣＨのフォーマットおよび使用可能な（available）ＰＤＣＣＨのビット数が決定される。ＢＳは、ＵＥに送信しようとするＤＣＩによってＰＤＣＣＨフォーマットを決定し、制御情報にＣＲＣ（Cyclic Redundancy Check）を付ける（attaches）。ＣＲＣは、ＰＤＣＣＨの所有者（owner）や用途に応じて固有の識別子（ＲＮＴＩ；Radio Network Temporary Identifier）で（with）スクランブル（マスク）される（scrambled）。特定のＵＥのためのＰＤＣＣＨである場合、ＵＥの固有識別子、例えば、Ｃ−ＲＮＴＩ（Cell-RNTI）がＣＲＣにスクランブルされ得る。または、ページングメッセージのためのＰＤＣＣＨである場合、ページング指示識別子、例えば、Ｐ−ＲＮＴＩ（Paging-RNTI）がＣＲＣにスクランブルされ得る。システム情報のためのＰＤＣＣＨである場合、ＳＩ−ＲＮＴＩ（System Information-RNTI）がＣＲＣにスクランブルされ得る。ＵＥのランダムアクセスプリアンブルの送信に対する応答であるランダムアクセス応答を示す（指示する）（indicate）ために、ＲＡ−ＲＮＴＩ（Random Access-RNTI）がＣＲＣにスクランブルされ得る。
【００２２】
図５は、ＵＬサブフレームの構造を示す。図５に示すように、ＵＬサブフレームは、周波数領域で制御領域とデータ領域とに分けられることができる。制御領域は、ＵＬ制御情報が送信されるための物理上りリンク制御チャネル（Physical Uplink Control CHannel；ＰＵＣＣＨ）が割り当てられる。データ領域は、ユーザデータが送信されるための物理上りリンク共有チャネル（Physical Uplink Shared CHannel；ＰＵＳＣＨ）が割り当てられる。上位層で示される場合、ＵＥは、ＰＵＳＣＨとＰＵＣＣＨとの同時送信をサポ−ト（支援）できる（support）。１つのＵＥに対するＰＵＣＣＨは、サブフレームで資源ブロックペア（RB pair）に割り当てられる。ＲＢペアに属する資源ブロックは、第１のスロットと第２のスロットとの各々で互いに異なる副搬送波を占める。これをＰＵＣＣＨに割り当てられるＲＢペアがスロットの境界で周波数ホッピングされた（frequency-hopped at the slot boundary）という。ＵＥは、時間によってＵＬ制御情報を互いに異なる副搬送波を介して送信することにより、周波数ダイバーシチ利得を得ることができる。
【００２３】
ＰＵＣＣＨ上に送信されるＵＬ制御情報は、ＨＡＲＱ  ＡＣＫ／ＮＡＣＫ、ＤＬチャネル状態を表すＣＱＩ（Channel Quality Indicator）、ＳＲ（Scheduling Request）などを含むことができる。ＰＵＳＣＨは、送信チャネルであるＵＬ−ＳＣＨにマッピングされる。ＰＵＳＣＨ上で送信されるＵＬデータは、ＴＴＩの間に送信されるＵＬ−ＳＣＨのためのデータブロックである送信ブロックでありうる。送信ブロックは、ユーザ情報でありうる。または、ＵＬデータは、多重化された（multiplexed）データでありうる。多重化されたデータは、ＵＬ−ＳＣＨのための送信ブロックと制御情報とが多重化して得られたデータでありうる。例えば、データに多重化される制御情報は、ＣＱＩ、ＰＭＩ（Precoding Matrix Indicator）、ＨＡＲＱ、ＲＩ（Rank Indicator）などを含むことができる。または、ＵＬデータは、制御情報のみで構成されることもできる。
【００２４】
キャリアアグリゲーション（ＣＡ；Carrier Aggregation）が説明される。高速データ送信（high data rate transmission）に対する要求が増加するにつれて、統合された（aggregated）複数のコンポーネントキャリア（ＣＣｓ；Component Carriers）からなる移動通信システムが研究されている。ＵＥは、複数のＤＬ  ＣＣから同時にＤＬ信号／データをモニタリングし、受信することができる。しかし、セルがＮ個のＤＬ  ＣＣを管理しているにもかかわらず、ネットワークは、ＵＥのＤＬ信号／データのモニタリングがＭ個のＤＬ  ＣＣに限定されるように、ＵＥをこれらのＭ個のＤＬ  ＣＣで構成することができ、ここで、Ｍ≦Ｎである。さらに、ネットワークは、ＵＥがＤＬ信号／データを、ＵＥ固有に（UE-specifically）またはセル固有に（cell-specifically）、優先して（with a priority）モニタリングしなければならない主要な（main）ＤＬ  ＣＣとしてＬ個のＤＬ  ＣＣを構成でき、ここで、Ｌ≦Ｍ≦Ｎである。
【００２５】
さらに、ＬＴＥ−Ａ  ＵＥのクロスＣＣ（cross-CC）スケジューリングのために、搬送波指示フィールド（ＣＩＦ；Carrier Indicator Field）の導入が考慮された。ＬＴＥ−ＡのＰＤＣＣＨ送信のベースラインは、次のように要約され、ＰＤＣＣＨ内におけるＣＩＦの存在または不在に関する構成は、上位層シグナリングにより半静的に（semi-statically）、そしてＵＥ固有に構成可能である。
【００２６】
・ＣＩＦ使用不可能（disabled）：ＤＬ  ＣＣ上のＰＤＣＣＨは、同じＤＬ  ＣＣ上にＰＤＳＣＨ資源を、シングルリンクされた（single linked）ＵＬ  ＣＣ上にＰＵＳＣＨ資源を、割り当てる。この場合、ＣＩＦは構成されず、ＰＤＣＣＨ構造（同じコーディング、同じＣＣＥベースの（CCE-based）資源マッピング）およびＤＣＩフォーマットは、ＬＴＥ  ｒｅｌ−８と同一でありうる。
【００２７】
・ＣＩＦ使用可能：ＤＬ  ＣＣ上のＰＤＣＣＨは、ＣＩＦを用いて複数の統合されたＤＬ／ＵＬ  ＣＣのうちの１つにＰＤＳＣＨまたはＰＵＳＣＨ資源を割り当てることができる。この場合、ＬＴＥ  ｒｅｌ−８のＤＣＩフォーマットは、上記ＣＩＦに拡張される。上記ＣＩＦは、固定された３ビットフィールドでありうる。上記ＣＩＦの位置は、ＤＣＩフォーマットサイズに関係なく固定されることができる。ＬＴＥ  ｒｅｌ−８のＰＤＣＣＨ構造（同じコーディング、同じＣＣＥ−基盤資源マッピング）が再使用され得る。
【００２８】
ＣＩＦが存在する場合に、望ましくは、ｅＮＢは、ＵＥ側でのブラインドデコードの複雑度を低減するために、ＰＤＣＣＨモニタリングＤＬ  ＣＣ集合を割り当てることができる。この（This）ＣＣ集合は、統合されたＤＬ  ＣＣ全体の一部分（a portion of the entire aggregated DL CCs）であり、ＵＥは、このような集合を介してスケジューリングされたＰＤＣＣＨの検出／デコードのみを行う。言い換えれば、ＵＥに対してＰＤＳＣＨ／ＰＵＳＣＨをスケジューリングするために、ｅＮＢは、ＰＤＣＣＨモニタリングＤＬ  ＣＣ集合を介してのみＰＤＣＣＨを送信できる。ＰＤＣＣＨモニタリングＤＬ  ＣＣ集合は、セットＵＥ固有（UE-specific）またはＵＥグループ固有（UE-group-specific）、或いはセル固有（cell-specific）でありうる。例えば、３個のＤＬ  ＣＣが統合され、ＤＬ  ＣＣ  ＡがＰＤＣＣＨモニタリングＤＬ  ＣＣとして構成される（configured as）ことができる。上記ＣＩＦが使用不可能である場合、ＬＴＥ  ｒｅｌ−８のＰＤＣＣＨの原則（principle）によって、それぞれのＤＬ  ＣＣは、上記ＣＩＦを用いずに自体のＰＤＳＣＨをスケジューリングするＰＤＣＣＨのみを送信できる。これに対し、ＣＩＦがＵＥ固有上位層シグナリングにより使用可能な場合、単にＤＬ  ＣＣ  Ａのみが上記ＣＩＦを使用して、自体のＰＤＳＣＨだけでなく、他のＣＣのＰＤＳＣＨをスケジューリングするＰＤＣＣＨを送信できる。ＰＤＣＣＨモニタリングＤＬ  ＣＣとして構成されないＤＬ  ＣＣ  ＢおよびＤＬ  ＣＣ  Ｃを介しては、ＰＤＣＣＨが送信されない。
【００２９】
二重接続（dual connectivity）が開示される。二重接続は、与えられたＵＥがＲＲＣ＿ＣＯＮＮＥＣＴＥＤである間に非理想的（non-ideal）バックホールで接続される少なくとも２つの相違したネットワークポイント（ＭｅＮＢ（Master eNB）およびＳｅＮＢ（Secondary eNB））により提供される無線資源を消費する動作である。すなわち、ＵＥは、二重接続により２つの種類のサービスを受信する。サービスのうちの１つは、ＭｅＮＢから直接受信される。ＭｅＮＢは、少なくともＳ１−ＭＭＥの終端となるｅＮＢ（eNB which terminates at least S1-MME）であるから、二重接続でコアネットワーク（ＣＮ）に向かった移動性アンカ（mobility anchor towards the core network (CN)）として動作する。他のサービスは、ＳｅＮＢから受信される。ＳｅＮＢは、ＵＥに対して付加的な無線資源を提供する、ＭｅＮＢでない、ｅＮＢである。また、ｅＮＢの負荷状態またはＵＥの要求事項によって、サービスは、ＭｅＮＢとＳｅＮＢとの間で移動されることができる。ＭＣＧ（Master Cell Group）は、ＭｅＮＢと関連したサービングセルのグループを指し、プライマリセル（Primary Cell；ＰＣｅｌｌ）と、オプションとして（optionally）１つまたは複数のセカンダリセル（Secondary Cell；ＳＣｅｌｌ）と、を含む。ＳＣＧ（Secondary Cell Group）は、ＳｅＮＢと関連したサービングセルのグループを指し、プライマリＳＣｅｌｌ（Primary SCell；ＰＳＣｅｌｌ）とオプションとして１つまたは複数のＳＣｅｌｌを含む。
【００３０】
図６は、二重接続の例を図示する。図６に示すように、ＵＥは、ＭｅＮＢとＳｅＮＢとの両方に接続される。ＵＥは、ＣＣ１を介してＭｅＮＢに接続される。ＵＥは、ＣＣ３を介してＳｅＮＢに接続される。ＭｅＮＢおよびＳｅＮＢは、バックホールにより相互間で接続される。また、ＭｅＮＢは、有線接続されたＲＲＨを管理する。ＵＥは、ＣＣ２を介してＭｅＮＢにより管理されるＲＲＨに接続される。ＳｅＮＢは、さらにＲＲＨを管理する。ＵＥは、ＣＣ４を介してＳｅＮＢにより管理されるＲＲＨに接続される。
【００３１】
タイミングアドバンス（ＴＡ；Timing Advance）が説明される。ＲＲＣ＿ＣＯＮＮＥＣＴＥＤにおいてｅＮＢは、タイミングアドバンスを維持する責任がある。同じタイミングアドバンスを適用するＵＬを有し（典型的には、同じ受信器によりホスティングされるサービングセル（the serving cells hosted by the same receiver）に対応して）、同じタイミング基準セルを用いるサービングセルは、タイミングアドバンスグループ（ＴＡＧ；Timing Advance Group）にグループ化される。それぞれのＴＡＧは、構成されたＵＬを有する少なくとも１つのサービングセルを含み、それぞれのサービングセルのＴＡＧに対するマッピングは、無線資源制御（ＲＲＣ；Radio Resourced Control）により構成される。
【００３２】
ある場合に（例えば、ＤＲＸ（Discontinuous Reception）の間に）、タイミングアドバンスが常に必ず維持されるべき必要があるのではなく、ＭＡＣ（Media Access Control）サブ層は、Ｌ１が同期化されたか否かと、どの手順がＵＬ送信を始めるために使用されるかと、を知っている。Ｌ１が非同期である限り（As long as the L1 is non-synchronized）、ＵＬ送信は、物理ランダムアクセスチャネル（Physical Random Access CHannel；ＰＲＡＣＨ）上のみで発生することができる。
【００３３】
ＴＡＧに対して、ＵＬ同期状態（synchronization status）が「同期（synchronized）」から「非同期（non-synchronized）」に移行する（move）場合は、非同期化されたハンドオーバおよびＴＡＧ固有の（specific to the TAG）タイマの満了を含む。
【００３４】
ＵＥの同期状態は、ｐＴＡＧ（primary TAG）の同期状態に従う。ｐＴＡＧと関連したタイマが動作しない場合、ｓＴＡＧと関連した上記タイマは動作してはならない。
【００３５】
ｐＴＡＧと関連したタイマの値はＵＥ固有であり、ＵＥとｅＮＢとの間の専用シグナリングを介して管理されたり、またはセル固有であり、放送情報を介して指示されたりする。全ての場合において、ｐＴＡＧに対して新しいタイミングアドバンスがｅＮＢにより与えられる度に、一般的にタイマは、存在する場合はＵＥ固有の値で再始動するか、またはそうでない場合セル固有の値で再始動する（the timer is normally restarted to a UE specific value if any, or to a cell specific value otherwise）。
【００３６】
ｓＴＡＧ（secondary TAG）と関連したタイマの値は、ＵＥとｅＮＢとの間の専用シグナリングを介して管理され、互いに異なるｓＴＡＧと関連したタイマは、互いに異なる値で構成されることができる。対応するｓＴＡＧに対して新しいタイミングアドバンスがｅＮＢにより与えられる度に、一般的にｓＴＡＧのタイマが再始動する。
【００３７】
ＤＬデータが到着したときまたはポジショニングの目的のために、ＰＲＡＣＨ上の専用シグネチャがｅＮＢによりＵＥに割り当てられることができる。ＰＲＡＣＨ上の専用シグネチャが割り当てられる場合、ＵＥは、自体のＬ１同期状態と関係なく、対応するランダムアクセス手順を行わなければならない。
【００３８】
タイミングアドバンスアップデートは、ＭＡＣ  ＰＤＵ（Protocol Data Unit）内でｅＮＢによりＵＥにシグナリングされる。
【００３９】
タイミングアドバンス命令の受信の際に、ＵＥは、ＰＣｅｌｌ（Primary Cell）のＰＵＣＣＨ／ＰＵＳＣＨ／サウンディング参照信号（ＳＲＳ；Sounding Reference Signal）のために、自体のＵＬ送信タイミングを調整しなければならない。タイミングアドバンス命令は、現在のＵＬタイミングに対してＵＬタイミングの変更を１６Ｔｓの倍数で指示する。ＳＣｅｌｌ（Secondary Cell）のＰＵＳＣＨ／ＳＲＳのためのＵＬ送信タイミングは、ＰＣｅｌｌと同一である。サブフレームｎを介して受信されるタイミングアドバンス命令に対して、対応するタイミングの調整は、サブフレームｎ＋６の開始で適用されなければならない。サブフレームｎおよびサブフレームｎ＋１におけるＵＥのＵＬ  ＰＵＣＣＨ／ＰＵＳＣＨ／ＳＲＳ送信がタイミング調整に起因してオーバーラップした（overlapped）場合、ＵＥは、完全なサブフレームｎを送信し（transmit complete subframe）、サブフレームｎ＋１のオーバーラップした部分を送信しない。
【００４０】
前述されたように、ＵＥが複数のｅＮＢに接続され得る二重接続が考慮され得る。また、ＵＥは、それぞれのｅＮＢ毎に相違した帯域での複数の搬送波で構成されることができる。また、ＭｅＮＢおよびＳｅＮＢは、厳密に（tightly）同期化されないことがあり、それぞれのｅＮＢへのＵＬ送信がサブフレーム境界に関して整列されないことがある。したがって、僅かなタイミング誤差、すなわち、複数のＴＡが発生できる。
【００４１】
図７は、１つのｅＮＢ内での複数のＴＡの例を図示する。図７に示すように、１つのｅＮＢ内で構成されたそれぞれの搬送波に対する互いに異なる電波遅延に起因して、ＰＣｅｌｌおよびＳＣｅｌｌは、互いに異なるＴＡを有する。すなわち、ＰＣｅｌｌに対してＴＡ１、ＳＣｅｌｌに対してＴＡ２を有する。
【００４２】
図８は、二重接続においてＭｅＮＢおよびＳｅＮＢに対する複数のＴＡの例を図示する。図８に示すように、ｅＮＢタイミングに起因して、ＭｅＮＢおよびＳｅＮＢは、互いに異なるタイミングを有する。また、ＰＣｅｌｌおよびＳＣｅｌｌは、互いに異なるＴＡを有する。すなわち、ＭｅＮＢのＰＣｅｌｌに対してＴＡ１、ＭｅＮＢのＳＣｅｌｌに対してＴＡ２、ＳｅＮＢのＰＣｅｌｌに対してＴＡ３、およびＳｅＮＢのＳＣｅｌｌに対してＴＡ４を有する。
【００４３】
図９は、２つのＴＡＧに属するセル内におけるサブフレーム境界の部分的なオーバーラップの例を図示する。ＵＥが複数のＴＡＧを介して信号を送信し、互いに異なるＴＡＧの隣接するサブフレームが時間領域で相互にオーバーラップする場合、オーバーラップした区間での最大ＵＬ送信電力（ＰCMAX）が決定される必要がある。図９に示すように、ＭｅＮＢに関連し、ＰＣｅｌｌを含むサービングセルのグループを指すＭＣＧにおいて、２つのＴＡＧ、すなわち、ＴＡＧ１およびＴＡＧ２が構成される。ＴＡＧ１のサブフレームｎ＋１とＴＡＧ２のサブフレームｎとがオーバーラップする。また、ＳｅＮＢに関連し、ＰＳＣｅｌｌを含むサービングセルのグループを指すＳＣＧにおいて、２つのＴＡＧ、すなわち、ＴＡＧ３およびＴＡＧ４が構成される。ＴＡＧ３のサブフレームｋ＋１とＴＡＧ４のサブフレームｋとがオーバーラップする。
【００４４】
以下、１つまたは全て（both）のｅＮＢ内で複数のＴＡが構成され（すなわち、非同期の場合）、二重接続が構成される場合、ＵＬ電力制御を解決するメカニズムが本発明の実施形態によって説明される。より詳細には、独立したＵＬ  ＴＡで動作するセルまたはセルグループのうち、ＳＣｅｌｌまたはＳＣＧを介して行われるランダムアクセス手順において最大ＵＬ送信電力を制御するための方法である。以下、独立したＵＬ  ＴＡが互いに異なるセルまたは複数のセルを含む互いに異なるセルグループに各々適用されると仮定される。ＰＣｅｌｌ（または、ＰＣｅｌｌグループ）は、１つのＰＣｅｌｌであるか、または同じＴＡが適用され、１つのＰＣｅｌｌおよび少なくとも１つのＳＣｅｌｌを含むセルグループでありうる。ＳＣｅｌｌ（または、ＳＣｅｌｌグループ）は、１つのＳＣｅｌｌであるか、または同じＴＡが適用され、複数のＳＣｅｌｌを含むセルグループでありうる。都合上、同じＴＡが適用されるセルグループは、ＴＡＧと呼ばれる。上記ＰＣｅｌｌを含むＴＡＧは、ｐＴＡＧ（PCell TAG）と呼ばれる。上記ＰＣｅｌｌを含まないＴＡＧは、ｓＴＡＧ（SCell TAG）と呼ばれる。１つのＴＡＧは、少なくとも１つのセルを含むことができる。
【００４５】
第一に、本発明の実施形態によって、それぞれのｅＮＢに対してそれぞれのサブフレームで電力割当を決定する方法が説明される。電力を割り当てる観点で、ｅＮＢ毎に最大ＵＬ送信電力が半静的に構成されて、他のｅＮＢに対する電力をみる（look at）必要がない限り、ＳＣＧに対してサブフレームｋで電力を決定するために、サブフレームｎおよびサブフレームｎ＋１でのＭＣＧの電力割当が考慮されなければならない。ＭＣＧの電力割当が演算される場合、サブフレームｋにおけるＳＣＧの電力割当を決定するために、１つのｅＮＢ内のオーバーラップした部分を考慮するか否かが決定され得る。
【００４６】
図１０は、２つのＴＡＧに属するセル内におけるサブフレーム境界の部分的なオーバーラップの他の例を図示する。図１０に示すように、部分１は、ＴＡＧ１およびＴＡＧ２の両方に対してサブフレームｎに対応し、部分３は、ＴＡＧ１およびＴＡＧ２の両方に対してサブフレームｎ＋１に対応する。部分２は、上記オーバーラップした部分、すなわち、ＴＡＧ１に対してサブフレームｎ＋１およびＴＡＧ２に対してサブフレームｎに対応する。したがって、サブフレームｋでＳＣＧの電力割当を決定するために、部分２を考慮するか否かが定義される必要がある。
【００４７】
（１）１つのｅＮＢの電力割当を決定する場合に、複数のＴＡに起因した他のｅＮＢからのオーバーラップした部分が考慮されないことがある。これは、このようなオーバーラップした部分で僅かな電力が一時的に減少され得る場合、電力が不要に浪費される場合を回避するためである。すなわち、ＳＣＧの電力割当を決定するために、図１０において前述されたように、部分１および３のみが考慮され得る。
【００４８】
（２）１つのｅＮＢの電力割当を決定する場合に、複数のＴＡに起因した他のｅＮＢからのオーバーラップした部分が考慮され得る。すなわち、ＳＣＧの電力割当を決定するために、図１０において前述されたように、全ての部分１／２／３が考慮され得る。
【００４９】
複数のＴＡに起因した他のｅＮＢからの部分が考慮される場合において、オーバーラップした部分で電力がＵＥ最大電力を超過する場合、この場合をどのように扱うかを決定する必要がある。例えば、サブフレーム（ｋ、ｎ）とサブフレーム（ｋ、ｎ＋１）との間で優先順位に基づいて電力スケーリングが行われ得る。
【００５０】
より詳細には、二重接続の電力制御において、ＣＧ別に最小電力がネットワークにより構成されることが期待され、少なくともＣＧ別にＵＬ送信がある場合に、ＣＧ別に最小電力が保障され得る。したがって、ネットワークによる構成に基づいて、ＵＥは、まずＣＧ別に電力を割り当て、その後、ＣＧ別に電力割当のために指定（claim）されなかった残りの（remaining）電力に対して上りリンク制御情報（ＵＣＩ；Uplink Control Information）のタイプ（type）に基づいて優先順位を適用できる。一旦（once）、ＣＧ別にＵＣＩタイプに基づく電力割当が達成されれば、各ＣＧは、各ＣＧに対してチャネル別に割り当てられた電力の合計に基づいて総電力（total power）が割り当てられ得る。上記割り当てられた電力を用いて、必要であれば、Ｒｅｌ−１１電力スケーリングが行われ得る。
【００５１】
同様に、同じ方法は、ＣＧ別に（per CG）１つより多い（more than one）ＴＡＧが構成される場合に適用されることができる。例えば、電力がＭＣＧ／ＳＣＧの各々に対して４０％／６０％に分割され、ＭＣＧが２つのＴＡＧを有する場合、サブフレームｎとサブフレームｎ＋１との間のオーバーラップした部分での電力は、４０％の電力制限に限定されることができ、割り当てられた電力（ＵＥ最大電力の４０％）を超過しないように、３ＧＰＰ  Ｒｅｌ−１１による必要な電力スケーリングがオーバーラップした部分に適用され得る。もちろん、割り当てられた電力は、２０ｄＢｍなどの絶対値でありうるし、その後、上記電力は互いに異なるＴＡグループ間でオーバーラップした部分で２０ｄＢｍを超過しないことができる。
【００５２】
図１１は、本発明の実施形態に係る電力スケーリングの様々な例を図示する。図１１の１番目の図面において、ＭＣＧのサブフレームｎとＳＣＧのサブフレームｋとでＰｍａｘ（ｎ、ｋ）が構成され、ＭＣＧのサブフレームｎ＋１とＳＣＧのサブフレームｋとでＰｍａｘ（ｎ、ｋ＋１）が構成される。Ｐ１は、電力スケーリング以前のＭＣＧのサブフレームｎにおける電力である。図１１の２番目の図面において、ＭＣＧのサブフレームｎでの電力Ｐ１を考慮して、ＳＣＧのサブフレームｋでの電力（Ｃ１、ｋ）が決定される。Ｐ２は、ＳＣＧのサブフレームｋでの電力（Ｃ１、ｋ）を考慮したＭＣＧのサブフレームｎでの電力である。図１１の３番目の図面において、ＭＣＧのサブフレームｎでの電力Ｐ１を考慮して、ＳＣＧのサブフレームｋ＋１での電力（Ｃ１、ｋ＋１）が決定される。Ｐ３は、ＳＣＧのサブフレームｋ＋１での電力（Ｃ１、ｋ＋１）を考慮したＭＣＧのサブフレームｎでの電力である。図１１の４番目の図面において、ＳＣＧのサブフレームｋでの電力（Ｃ１、ｋ）とＳＣＧのサブフレームｋ＋１での電力（Ｃ１、ｋ＋１）とを考慮して、ＵＥ最大電力を超過しないように、ＭＣＧのサブフレームｎでの電力がＰ３に決定される。ＳＣＧのサブフレームｋでの電力（Ｃ１、ｋ）とＳＣＧのサブフレームｋ＋１での電力（Ｃ１、ｋ＋１）とが適宜スケーリングダウンされる。また、オーバーラップした部分において、電力スケーリングは、ＵＥの実現（実装）（UE implementation）により行われる。
【００５３】
言い換えれば、複数のＴＡに起因したオーバーラップした部分で一時的に（temporary）高い電力を扱う観点において、任意のポイントでＵＥ最大電力より少ない電力を維持する方法は、ＵＥの実現によることができる。この場合、送信中に（in the middle of transmission）電力が減少されないので、複数のＴＡを有するＵＬ送信に対して電力スケーリングが発生できるとさらに仮定されることができる。言い換えれば、前述されたように、図面の（Ｃ１、ｋ）および（Ｃ１、ｋ＋１）で電力スケーリングが行われ得る。代替として（Alternatively）、ＵＥ最大電力は、複数のＴＡに起因してオーバーラップした部分で自体の電力クラスを超過することができ、この場合には電力スケーリングが必要でないことがある。または、ＵＥが行うべきある行動が特定されないことがある。
【００５４】
複数のＴＡによる可能な問題を考慮すれば、二重接続が構成される場合に、全てのｅＮＢが相互間で同期化されない場合、１つより多いＴＡＧがそれぞれのｅＮＢ毎に構成されないことがある。言い換えれば、２つのｅＮＢ間で同期が仮定され得ない場合に、単に１つのＴＡＧがそれぞれのｅＮＢ毎に構成され得るので、ｅＮＢグループ内で複数のＴＡＧ機能は仮定されない。
【００５５】
また、２つのｅＮＢ間で最大タイミング差が３３ｕｓなどの特定値を超過しない同期ケース（場合）（case）を扱うために、同期ケースを扱うメカニズムは、前述されたように、非同期ケースを扱うメカニズムに従うことができる。要約すれば、電力がＣＧ別に割り当てられる場合に、サブフレームｎなどの同じサブフレームのみが電力割当のために考慮され得る。上記電力がＣＧ別に割り当てられれば、２つのＣＧ間における非常に短いオーバーラップした部分の取り扱いは、次のオプションのうちの１つまたは一部に従うことができる。
【００５６】
（１）ＵＥは、ＣＧにわたった（across）ＵＣＩタイプに基づく優先順位規則に基づいて、複数のＴＡ電力スケーリングを適用できる。例えば、（電力制限される場合に）オーバーラップした部分の電力がＵＥ最大電力を超過しないように減少されることができる。電力を減少させる場合に、ＣＧにわたったＵＣＩタイプに基づくチャネル間の優先順位が使用され得る。例えば、チャネル間の優先順位は、ＭＣＧに対するＰＲＡＣＨ＞ＳＣＧに対するＰＲＡＣＨ＞ＭＣＧに対するＰＵＣＣＨ＞ＳＣＧに対するＰＵＣＣＨとして構成されることができる。ＰＵＳＣＨに対して、他のｅＮＢにおけるＰＵＳＣＨとの衝突がある場合に、以前の（earlier）送信がより高い優先順位を有することができる。または、ＰＵＳＣＨに関してもＭＣＧがより高い優先順位を有することができる。
【００５７】
（２）ＵＥは、ＵＣＩタイプと関係なく、以前の送信に対してより高い優先順位を設定できる。すなわち、優先順位に基づいてＵＣＩタイプ別に電力スケーリングを決定する代わりに、初期送信がより高い優先順位を有することができる。すなわち、ＵＥ最大電力を超過しないように、ｎ＋１サブフレームは、最初のＯＦＤＭシンボル内の電力を減少させることができる。
【００５８】
（３）ＵＥは、オーバーラップした部分と関係なく、同じ電力を維持できる。すなわち、ＳＲＳの場合を除き、サブフレームｎでの電力が保有（retain）され得る。ＳＲＳの場合に対して、複数のＴＡ規則にしたがって電力は減少（drop）されることができる。ＰＵＣＣＨおよびＰＵＳＣＨに対して、サブフレームｎは、サブフレームｎ＋１とオーバーラップする部分と関係なく、同じ電力を使用できる。サブフレームｎ＋１がＰＵＣＣＨを含むので、最初のシンボルでの電力を減少させることが好ましくない場合、ＵＥは、サブフレームｎ＋１でＰＵＣＣＨ送信を放棄（drop）することができる。
【００５９】
（４）ＵＥは、ＣＧ間で同一であるか、または加重化された電力スケーリングを行うことができる。オーバーラップした部分において、ＣＧ間で同一であるか、または加重化された電力スケーリングが使用され得る。
【００６０】
図１２は、本発明の実施形態に係るＣＧ別に電力を割り当てる方法の例を図示する。ステップＳ１００において、ＵＥは、ネットワークからＣＧ別の最小電力に関する構成を受信する。ステップＳ１１０において、ＵＥは、上記受信された構成に基づいてＣＧ別に電力を割り当てる。ＭＣＧおよびＳＣＧのうち、少なくとも１つは、少なくとも１つのＴＡで構成されることができる。上記ＭＣＧの電力は、上記ＳＣＧ内のサブフレームのオーバーラップした部分を除き、上記ＳＣＧの電力に基づいて割り当てられることができる。同様に、上記ＳＣＧの電力は、上記ＭＣＧ内のサブフレームのオーバーラップした部分を除き、上記ＭＣＧの電力に基づいて割り当てられることができる。ＵＥは、ＣＧ別に割り当てられなかった残りの電力に対してＵＣＩのタイプに基づいて優先順位をさらに適用することができる。例えば、ＰＲＡＣＨの優先順位は、ＰＵＣＣＨ／ＰＵＳＣＨの優先順位よりさらに高くすることができる。または、先行（preceding）サブフレームの優先順位は、後続（following）サブフレームの優先順位よりさらに高くすることができる。ＵＥは、上記ＣＧ別に割り当てられた電力に基づいて電力スケーリングをさらに行うことができる。ＣＧ別に１つより多いＴＡＧが構成され得る。
【００６１】
図１３は、本発明の実施形態が実現される無線通信システムを示す。
【００６２】
ｅＮＢ（８００）は、プロセッサ（processor；８１０）、メモリ（memory；８２０）、および送受信部８３０を備えることができる。プロセッサ８１０は、本明細書において説明された機能、手順（procedures）、および／または方法を実現するように構成されることができる。無線インターフェースプロトコルの階層は、プロセッサ８１０により実現されることができる。メモリ８２０は、プロセッサ８１０と接続されて、プロセッサ８１０を駆動するための様々な情報を記憶する（stores）。送受信部８３０は、プロセッサ８１０と接続されて、無線信号を送信および／または受信する。
【００６３】
ＵＥ（９００）は、プロセッサ９１０、メモリ９２０、および送受信部９３０を備えることができる。プロセッサ９１０は、本明細書において説明された機能、手順、および／または方法を実現するように構成されることができる。無線インターフェースプロトコルの階層は、プロセッサ９１０により実現されることができる。メモリ９２０は、プロセッサ９１０と接続されて、プロセッサ９１０を駆動するための様々な情報を記憶する。送受信部９３０は、プロセッサ９１０と接続されて、無線信号を送信および／または受信する。
【００６４】
プロセッサ８１０、９１０は、ＡＳＩＣ（Application-Specific Integrated Circuit）、他のチップセット、論理回路、および／またはデータ処理装置を備えることができる。メモリ８２０、９２０は、ＲＯＭ（Read-Only Memory）、ＲＡＭ（Random Access Memory）、フラッシュメモリ、メモリカード、記憶（storage）媒体、および／または他の記憶装置を備えることができる。送受信部８３０、９３０は、無線周波数信号を処理するためのベースバンド回路を備えることができる。実施形態がソフトウェアで実現されるとき、前述した技法は、前述した機能を果たすモジュール(手順、機能など)で実現されることができる。モジュールは、メモリ８２０、９２０に記憶され、プロセッサ８１０、９１０により実行されることができる。メモリ８２０、９２０は、プロセッサ８１０、９１０の内部または外部にありうるし、よく知られた様々な手段でプロセッサ８１０、９１０と接続されることができる。
【００６５】
前述した例示的なシステムにおいて、前述した本発明の特徴によって実現されることができる方法は、流れ図に基づいて説明された。便宜上、方法は、一連のステップまたはブロックで説明したが、請求された本発明の特徴は、ステップまたはブロックの順序に限定されるものではなく、あるステップは、他のステップと、前述と異なる順序でまたは同時に発生できる。また、当業者であれば、流れ図に示すステップが排他的でなく、他のステップが含まれるか、流れ図の１つまたは複数のステップが本発明の範囲に影響を及ぼさずに削除可能であることを理解することができる。
【図１】
0006580594.tif 000002
【図２】
0006580594.tif 000003
【図３】
0006580594.tif 000004
【図４】
0006580594.tif 000005
【図５】
0006580594.tif 000006
【図６】
0006580594.tif 000007
【図７】
0006580594.tif 000008
【図８】
0006580594.tif 000009
【図９】
0006580594.tif 000010
【図１０】
0006580594.tif 000011
【図１１】
0006580594.tif 000012
【図１２】
0006580594.tif 000013
【図１３】
0006580594.tif 000014